【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
ストリーミング番組を再生するためのストリーミングデータを受信する受信回路と、
該受信回路で受信したストリーミングデータを記憶する記憶部と、
第１の番組を選択している期間中に、該第１の番組以外の番組である第２の番組を再生するための第２ストリーミングデータの受信を開始し、前記第１の番組を選択している期間中に、前記第２ストリーミングデータの内、所定量のストリーミングデータが前記記憶部に記憶されたのに応じて、前記第２ストリーミングデータの受信を停止する制御を行う制御回路と、
を有することを特徴とする受信装置。
【請求項２】
前記第２ストリーミングデータの受信を停止する制御は、該停止を行うための情報を前記第２の番組の送信元に対して送信する制御であることを特徴とする請求項１に記載の受信装置。
【請求項３】
前記第２ストリーミングデータの受信を開始する制御は、前記第２ストリーミングデータの内、少なくとも一部の送信を前記第２の番組の送信元に要求する制御を少なくとも含むことを特徴とする請求項１に記載の受信装置。
【請求項４】
前記第１の番組を選択している期間中に前記記憶部に記憶する前記第２ストリーミングデータの所定量とは、前記第２の番組の自動再生が開始されないデータ量であることを特徴とする請求項１に記載の受信装置。
【請求項５】
前記制御回路は、前記第１の番組を選択している期間中に、前記第１及び第２の番組以外の第３の番組を再生するための第３ストリーミングデータの受信を開始し、前記第１の番組を選択している期間中に前記第３ストリーミングデータの内、所定量のストリーミングデータが前記記憶部に記憶されたのに応じて、前記第３ストリーミングデータの受信を停止する制御を行うことを特徴とする請求項１に記載の受信装置。
【請求項６】
前記制御回路は、前記第１の番組を選択している期間中に、前記第２ストリーミングデータの内、第１の所定量のストリーミングデータが前記記憶部に記憶されたのに応じて、前記第２ストリーミングデータの受信を停止する制御を行い、前記第１の番組を選択している期間中に前記第３ストリーミングデータの内、前記第１の所定量とは異なる第２の所定量のストリーミングデータが前記記憶部に記憶されたのに応じて、前記第３ストリーミングデータの受信を停止する制御を行うことを特徴とする請求項５に記載の受信装置。
【請求項７】
前記第１の番組を選択している状態から前記第２の番組を選択するために必要な前記受信装置の操作量よりも、前記第１の番組を選択している状態から前記第３の番組を選択するために必要な操作量の方が大きく、前記第１の所定量は前記第２の所定量よりも大きいことを特徴とする請求項６に記載の受信装置。
【請求項８】
前記第３の番組は、前記第１の番組を選択する前に選択していた番組であり、前記第１の番組は、前記第３の番組を選択していた状態から予め決められた操作キーを操作することで選択され、前記第２の番組は前記第１の番組が選択されている状態から前記操作キーに対して再度同じ操作を行うことで選択され、前記第１の所定量は前記第２の所定量よりも大きいことを特徴とする請求項６に記載の受信装置。
【請求項９】
ストリーミング番組を再生するためのストリーミングデータを受信する受信回路と、
該受信回路で受信したストリーミングデータを記憶する記憶部と、
第１の番組を選択している期間中に、該第１の番組以外の番組である第２の番組と第３の番組とを再生するためのストリーミングデータを受信する制御を行う制御回路と、
を有し、
前記制御回路は、前記第１の番組を選択している期間中に、前記第２の番組と前記第３の番組とを再生するための各々のストリーミングデータを前記記憶部に記憶する記憶容量の割り当てを、前記第２の番組と前記第３の番組とで異ならせることを特徴とする受信装置。
【請求項１０】
前記第１の番組を選択している状態から、前記第２の番組を選択するために必要な操作量が前記第３の番組を選択するための操作量よりも小さく、前記第２の番組を記憶するために割り当てられた前記記憶容量は前記第３の番組を記憶するために割り当てられた前記記憶容量よりも大きいことを特徴とする請求項９に記載の受信装置。
【請求項１１】
前記第３の番組は、前記第１の番組を選択する前に選択していた番組であり、前記第１の番組は、前記第３の番組を選択していた状態から予め決められた操作キーを操作することで選択され、前記第２の番組は前記第１の番組が選択されている状態から前記操作キーに対して再度同じ操作を行うことで選択され、前記第２の番組を記憶するために割り当てられた前記記憶容量は前記第３の番組を記憶するために割り当てられた前記記憶容量よりも大きいことを特徴とする請求項９に記載の受信装置。
【請求項１２】
番組再生装置であって、請求項１乃至１１のいずれか１項に記載の受信装置と、
該受信装置で受信した信号に基づいて番組を再生する知覚化装置と
を有することを特徴とする再生装置。
【請求項１３】
第１のストリーミング番組を再生するための第１ストリーミングデータを受信する第１の受信工程と、
前記第１ストリーミングデータを記憶する第１の記憶工程と、
前記第１のストリーミング番組を選択している期間中に、該第１のストリーミング番組以外の番組である第２のストリーミング番組を再生するための第２ストリーミングデータを受信する第２の受信工程と、
前記第２ストリーミングデータを記憶する第２の記憶工程と、
前記第１のストリーミング番組を選択している期間中に、前記第２ストリーミングデータの内、所定量のストリーミングデータが記憶されたのに応じて、前記第２ストリーミングデータの受信を停止する受信停止工程と、
を有することを特徴とする受信装置の制御方法。
【請求項１４】
第１のストリーミング番組を再生するための第１ストリーミングデータを受信する第１の受信工程と、
前記第１ストリーミングデータを記憶部に記憶する第１の記憶工程と、
前記第１のストリーミング番組を選択している期間中に、該第１のストリーミング番組以外の番組である第２のストリーミング番組と第３のストリーミング番組とを再生するための各々ストリーミングデータを受信する第２の受信工程と、
前記第２の受信工程で受信したストリーミングデータを前記記憶部に記憶する第２の記憶工程とを有し、
前記第１のストリーミング番組を選択している期間中に、前記第２の記憶工程で記憶する前記第２のストリーミング番組と前記第３のストリーミング番組とを前記記憶部に記憶する記憶容量の割り当てを、前記第２のストリーミング番組と前記第３のストリーミング番組とで異ならせることを特徴とする受信装置の制御方法。
【手続補正２】
【補正対象書類名】明細書
【補正対象項目名】発明の名称
【補正方法】変更
【補正の内容】
【発明の名称】受信装置及び再生装置、及び受信装置の制御方法
【手続補正３】
【補正対象書類名】明細書
【補正対象項目名】０００７
【補正方法】変更
【補正の内容】
【０００７】
上記課題を解決するために、本発明の受信装置は、ストリーミング番組を再生するためのストリーミングデータを受信する受信回路と、該受信回路で受信したストリーミングデータを記憶する記憶部と、第１の番組を選択している期間中に、該第１の番組以外の番組である第２の番組を再生するための第２ストリーミングデータの受信を開始し、前記第１の番組を選択している期間中に、前記第２ストリーミングデータの内、所定量のストリーミングデータが前記記憶部に記憶されたのに応じて、前記第２ストリーミングデータの受信を停止する制御を行う制御回路と、を有している。
また、本発明の受信装置の制御方法は、第１のストリーミング番組を再生するための第１ストリーミングデータを受信する第１の受信工程と、前記第１ストリーミングデータを記憶する第１の記憶工程と、前記第１のストリーミング番組を選択している期間中に、該第１のストリーミング番組以外の番組である第２のストリーミング番組を再生するための第２ストリーミングデータを受信する第２の受信工程と、前記第２ストリーミングデータを記憶する第２の記憶工程と、前記第１のストリーミング番組を選択している期間中に、前記第２ストリーミングデータの内、所定量のストリーミングデータが記憶されたのに応じて、前記第２ストリーミングデータの受信を停止する受信停止工程と、を有する。
【手続補正４】
【補正対象書類名】明細書
【補正対象項目名】０００８
【補正方法】変更
【補正の内容】
【０００８】
また、別の構成によれば、本発明の受信装置は、ストリーミング番組を再生するためのストリーミングデータを受信する受信回路と、該受信回路で受信したストリーミングデータを記憶する記憶部と、第１の番組を選択している期間中に、該第１の番組以外の番組である第２の番組と第３の番組とを再生するためのストリーミングデータを受信する制御を行う制御回路と、を有し、前記制御回路は、前記第１の番組を選択している期間中に、前記第２の番組と前記第３の番組とを再生するための各々のストリーミングデータを前記記憶部に記憶する記憶容量の割り当てを、前記第２の番組と前記第３の番組とで異ならせることを特徴とする。
また、本発明の受信装置の制御方法は、第１のストリーミング番組を再生するための第１ストリーミングデータを受信する第１の受信工程と、前記第１ストリーミングデータを記憶部に記憶する第１の記憶工程と、前記第１のストリーミング番組を選択している期間中に、該第１のストリーミング番組以外の番組である第２のストリーミング番組と第３のストリーミング番組とを再生するための各々ストリーミングデータを受信する第２の受信工程と、前記第２の受信工程で受信したストリーミングデータを前記記憶部に記憶する第２の記憶工程とを有し、前記第１のストリーミング番組を選択している期間中に、前記第２の記憶工程で記憶する前記第２のストリーミング番組と前記第３のストリーミング番組とを前記記憶部に記憶する記憶容量の割り当てを、前記第２のストリーミング番組と前記第３のストリーミング番組とで異ならせることを特徴とする。
また、本発明の再生装置は、上記記載の受信装置と、該受信装置で受信した信号に基づいて番組を再生する知覚化装置とを有する。